(57)【要約】【課題】著作権保護とモバイル装置の小消費電力化を図りつつモバイル装置に記録されたオーディオファイルを再生する「オーディオシステム及びコンテンツ出力方法」を提供する。【解決手段】モバイル装置Ａは、オーディオ処理装置１に接続すると（７０１）、記録しているオーディオファイル１１４１を暗号化した暗号化ファイル５４としてオーディオ処理装置１に転送する（７０２、７０３、７０４、７０５）。オーディオ処理装置１は、転送された暗号化ファイル５４をＨＤＤ５に記録する。そして、ＨＤＤ５に記録した暗号化ファイル５４を再生する際には、モバイル装置Ａから暗号化ファイル５４を復号するための暗号キーを取得し（７０６、７０７）、取得した暗号キーを用いて暗号化ファイル５４を復号し、再生する。また、モバイル装置Ａとの通信が切断したならば（７０８）、モバイル装置Ａから取得した暗号キーを廃棄する。【選択図】図７
2005129110.tif 000002
【特許請求の範囲】
【請求項１】
楽曲を出力するオーディオシステムであって、
楽曲を記録したモバイル装置と通信する通信手段と、
楽曲を記録する記録媒体と、
前記モバイル装置から前記通信を介して楽曲を転送し、転送した楽曲を前記記録媒体に記録する楽曲取得手段と、
前記記録媒体に記録されている楽曲を再生する楽曲再生手段と、
前記楽曲再生手段の楽曲再生動作を制御する再生制御手段とを有し、
前記再生制御手段は、前記記録媒体に記録された楽曲のうちの、現在、前記通信手段を介して通信できないモバイル装置が転送元である楽曲の、前記楽曲再生手段の再生を禁止することを特徴とするオーディオシステム。
【請求項２】
請求項１記載のオーディオシステムであって、
前記楽曲は当該楽曲の転送元のモバイル装置が保持するキーによって暗号化されて前記記録媒体に記録され、
前記楽曲再生手段は、前記記録媒体に記録されている楽曲の再生を、現在通信可能なモバイル装置であって、かつ、当該楽曲の転送元であるモバイル装置から前記通信を介して取得した前記キーを用いて復号した上で行うことを特徴とするオーディオシステム。
【請求項３】
請求項１または２記載のオーディオシステムであって、
前記通信を介して前記モバイル装置が接続したときに、当該接続したモバイル装置に記録されておらず、前記記録媒体に記録されている当該接続したモバイル装置が転送元である楽曲を前記記録媒体より削除する楽曲削除手段を有することを特徴とするオーディオシステム。
【請求項４】
請求項１、２または３記載のオーディオシステムであって、
前記楽曲取得手段は、前記通信を介して前記モバイル装置が接続したときに、当該接続したモバイル装置に記録されており、当該接続したモバイル装置が転送元である楽曲として前記記録媒体に記録されていない楽曲を前記モバイル装置から前記通信を介して転送し、前記記録媒体に記録することを特徴とするオーディオシステム。
【請求項５】
請求項１、２または３記載のオーディオシステムであって、
前記通信を介して接続しているモバイル装置に記録されている楽曲であって、前記記録媒体に記録されていない楽曲の再生をユーザから指示された場合に、前記楽曲取得手段は、当該楽曲を、当該接続しているモバイル装置から前記通信を介してストリーミング再生可能な形式で転送して、前記記録媒体に記録し、前記楽曲再生手段は、当該接続しているモバイル装置から転送された楽曲を当該転送と並行してストリーミング再生することを特徴とするオーディオシステム。
【請求項６】
請求項１、２、３、４または５記載のオーディオシステムであって、
前記通信手段は、前記モバイル装置と、短距離無線通信またはローカルな通信を介して通信することを特徴とするオーディオシステム。
【請求項７】
請求項１、２、３、４、５または６記載のオーディオシステムであって、
当該オーディオシステムは自動車に固定的に搭載されることを特徴とするオーディオシステム。
【請求項８】
記録媒体を備えたコンテンツ再生システムにおいて、通信を介して接続されるモバイル装置に記録されたコンテンツを出力するコンテンツ出力方法であって、
前記通信を介して接続したモバイル装置から、当該モバイル装置に記録されているコンテンツを転送し、転送したコンテンツを前記記録媒体に記録するステップと、
前記記録媒体に記録されたコンテンツのうちの、現在、前記通信手段を介して通信できないモバイル装置が転送元であるコンテンツの再生を禁止するステップと、
前記記録媒体に記録されている、再生が禁止されていないコンテンツを再生し出力するステップとを有することを特徴とするオーディオシステムにおけるコンテンツ出力方法。
【発明の詳細な説明】
【技術分野】
【０００１】
本発明は、オーディオ装置において、オーディオ装置とは独立して使用可能な携帯装置に記録された楽曲を再生する技術に関するものである。
【背景技術】
【０００２】
楽曲を記録する携帯装置としては、楽曲蓄積機能と楽曲再生機能を備え移動電話網を介して楽曲をダウンロードする移動電話機（たとえば、特許文献１）や、ＭＰ３プレイヤとして知られる楽曲蓄積機能と楽曲再生機能を備えた携帯型オーディオ再生装置が知られている。
【０００３】
また、このような携帯装置に蓄積された楽曲を、他のオーディオ装置から出力する技術としては、携帯装置で再生したオーディオ信号を、有線またはＦＭ等の無線接続によってオーディオ装置に入力し、オーディオ装置から出力する技術や、携帯装置からオーディオ装置に楽曲を転送してオーディオ装置に記録し、その後、オーディオ装置において記録した楽曲を再生、出力する技術などが知られている。
【特許文献１】特開平２００１-１３６３０９号公報
【発明の開示】
【発明が解決しようとする課題】
【０００４】
前記従来の携帯装置に蓄積された楽曲を、他のオーディオ装置から出力する技術によれば、以下のような問題がある。
すなわち、携帯装置で楽曲を再生し再生したオーディオ信号をオーディオ装置に入力してオーディオ装置において出力する技術によれば、楽曲の再生中、蓄電量に限りある内蔵バッテリで稼働する携帯装置において楽曲を再生するための比較的大きな電力が消費され続けてしまうことになる。一方で、外部から電力を携帯装置に供給するようにすれば、このような内蔵バッテリの電力消費の問題は回避されるが、電力供給を行うために一々ユーザが外部からの電力線を携帯装置に接続する必要性が生じる。そして、このことは、特に携帯装置とオーディオ装置を無線接続する場合における携帯装置の利便性を著しく損ねる。また、オーディオ装置が車載のオーディオ装置である場合などには、通常、DC/DCコンバータなどの特段の電力供給設備を自動車側に設ける必要性が生じる。
【０００５】
また、携帯装置からオーディオ装置に楽曲を転送してオーディオ装置に記録し、オーディオ装置において記録した楽曲を再生出力する技術によれば、無条件にこのような携帯装置からオーディオ装置への楽曲の複写を許してしまうと、楽曲の充分な著作権保護を行えなくなることになる。すなわち、携帯装置の利用者に対してのみ利用を許可された楽曲について、無条件に楽曲のオーディオ装置への複写を行った場合には、一旦、オーディオ装置に楽曲を記録した後は、オーディオ装置において任意のユーザによって無制限に楽曲を再生できるようになる他、楽曲がさらにオーディオ装置から他の装置に複写されて利用される可能性が生じる。
【０００６】
そこで、本発明は、携帯装置記録楽曲の外部のオーディオ装置からの出力を、楽曲の著作権保護と携帯装置の消費電力の抑制とを図りつつ行うことを課題とする。
【課題を解決するための手段】
【０００７】
前記課題達成のために、本発明は、楽曲を出力するオーディオシステムに、楽曲を記録したモバイル装置と通信する通信手段と、楽曲を記録する記録媒体と、前記モバイル装置から前記通信を介して楽曲を転送し、転送した楽曲を前記記録媒体に記録する楽曲取得手段と、前記記録媒体に記録されている楽曲を再生する楽曲再生手段と、前記楽曲再生手段の楽曲再生動作を制御する再生制御手段とを備え、前記再生制御手段において、前記記録媒体に記録された楽曲のうちの、現在、前記通信手段を介して通信できないモバイル装置が転送元である楽曲の、前記楽曲再生手段の再生を禁止するようにしたものである。
【０００８】
このようなオーディオシステムによれば、モバイル装置に記録されているオーディオファイルの楽曲をオーディオシステムから出力する場合に、モバイル装置において一旦オーディオシステムに転送した楽曲の再生は行わないので、モバイル装置の省電力消費化が図られると共に、オーディオシステムにおいて、モバイル装置から転送して記録した楽曲の再生は当該モバイル装置が接続されている場合にのみ可能となるので、楽曲の有効な著作権保護が図られる。
【０００９】
ここで、このようなオーディオシステムでは、前記楽曲は当該楽曲の転送元のモバイル装置が保持するキーによってモバイル装置またはオーディオシステムにおいて暗号化して前記記録媒体に記録し、前記楽曲再生手段において、前記記録媒体に記録されている楽曲の再生を、現在通信可能なモバイル装置であって、かつ、当該楽曲の転送元であるモバイル装置から前記通信を介して取得した前記キーを用いて復号した上で行うようにすることが好ましい。
【００１０】
このようにすることによりオーディオシステムに記録した楽曲の当該オーディオシステム上での不正利用や、他の装置に複写しての不正利用を抑止することができる。
また、以上のオーディオシステムには、前記通信を介して前記モバイル装置が接続したときに、当該接続したモバイル装置に記録されておらず、前記記録媒体に記録されている当該接続したモバイル装置が転送元である楽曲を前記記録媒体より削除する楽曲削除手段を備えることが好ましい。
【００１１】
このようにすることにより、一旦、オーディオシステムに転送して記録した楽曲が、転送元のモバイル装置上で削除された場合に、著作権保護の観点から、当該楽曲をオーディオシステム上からも削除して、オーディオシステム上においても、当該楽曲の以降の利用が行えないようにすることができる。
【００１２】
ここで、以上のオーディオシステムの、前記楽曲取得手段は、前記通信を介して前記モバイル装置が接続したときに、当該接続したモバイル装置に記録されており、当該接続したモバイル装置が転送元である楽曲として前記記録媒体に記録されていない楽曲を前記モバイル装置から前記通信を介して転送し、前記記録媒体に記録するものであってよい。
【００１３】
または、前記通信を介して接続しているモバイル装置に記録されている楽曲であって、前記記録媒体に記録されていない楽曲の再生をユーザから指示された場合に、前記楽曲取得手段において、当該楽曲を、当該接続しているモバイル装置から前記通信を介してストリーミング再生可能な形式で転送して、前記記録媒体に記録し、前記楽曲再生手段において、当該接続しているモバイル装置から転送された楽曲をストリーミング再生するようにしてもよい。
【００１４】
なお、以上のオーディオシステムにおいて、前記通信手段は、前記モバイル装置と、短距離無線通信またはローカルな通信を介して通信するものであることが好ましい。また、当該オーディオシステムは自動車に固定的に搭載される車載オーディオシステムであって良い。
【００１５】
なお、以上の発明は、楽曲以外のコンテンツ、たとえば、ビデオやゲームなどを対象として、そのようなコンテンツの出力を行うシステムに同様に適用することができる。
【発明の効果】
【００１６】
以上のように、本発明によれば、携帯装置記録楽曲の外部のオーディオ装置からの出力を、楽曲の著作権保護と携帯装置の消費電力の抑制とを図りつつ行うことができる。
【発明を実施するための最良の形態】
【００１７】
以下、本発明の実施の形態について、車載のオーディオシステムへの適用を例にとり説明する。
図１に、オーディオシステムのハードウエア構成を示す。
図示するように、本実施形態に係るオーディオシステムは、オーディオ処理装置１、表示装置２、入力装置３、スピーカやオーディオアンプ装置などのオーディオ出力装置４、ＨＤＤ５、デジタルオーディオ放送受信機６、デジタルオーディオデータを記録するＣＤ-ＤＡ用のドライブ装置であるＣＤドライブ７、脱着可能にオーディオ処理装置１に装着される過般型のメモリカード８とを有している。
【００１８】
そして、オーディオ処理装置１は、ＣＰＵ１１、メモリ１２、表示装置２に接続する表示インタフェース１３、オーディオ出力装置４に接続するオーディオ出力インタフェース１４、ＨＤＤ５に接続するＨＤＤインタフェース１５、デジタル放送受信機に接続する受信機インタフェース１６、ＣＤドライブ７に接続するＣＤドライブインタフェース１７、メモリカード８が装着されるメモリカードインタフェース１８、入力装置３に接続する入力インタフェース１９、移動電話機１０１や携帯プレイヤ１０２や移動電話機１０１などのモバイル装置とBluetooth（登録商標）などの短距離無線通信を行う短距離無線通信装置２０と、以上の各部を接続するバス２１とを備えている。ここで、表示インタフェース１３、オーディオ出力インタフェース１４、ＨＤＤインタフェース１５、受信機インタフェース１６、ＤＶＤドライブインタフェース、メモリカードインタフェース１８、入力インタフェース１９は、無線通信インタフェースは、各々接続する装置と、オーディオ処理装置１との間との入出力を処理するものである。
【００１９】
一方、移動電話機１０１や携帯プレイヤ１０２や移動電話機１０１などの各モバイル装置のハードウエアは、ＣＰＵやメモリなどより構成されるＣＰＵ回路に、表示装置や、入力装置や、スピーカなどのオーディオ出力装置や、記憶装置や、短距離無線通信を行う短距離無線通信装置が、それぞれ適当なインタフェースを介して接続された構成を有している。また、各モバイル装置は、その装置の種別に応じた機能部、たとえば、移動電話機１０１であれば、移動電話を行う機能部を含んで構成される。
【００２０】
次に、このようなオーディオシステムとモバイル装置の機能構成を図２に示す。
図示するように、オーディオ処理装置１は、機能的には、オペレーティングシステム２０１、オペレーティングシステム２０１上で稼働するオーディオ再生アプリケーション２０２、オペレーティングシステム２０１上で稼働する他のアプリケーションである他アプリケーション２０３とを有する。そして、オーディオ再生アプリケーション２０２は、オーディオ制御部２０２０、端末収容処理部２０２１、再生処理部２０２２、復号部２０２３、オーディオデコーダ２０２４を含む。
【００２１】
ここで、図中のオーディオソース２１０は、デジタルオーディオ放送受信機６やＣＤドライブ７などのオーディオ処理装置１で再生するオーディオデータの発生元の装置を示す。
次に、モバイル装置１００は、機能的には、モバイル装置１００のオペレーティングシステム２０１である端末オペレーティングシステム１１１、端末オペレーティングシステム１１１上で稼働する再生依頼アプリケーション１１２、端末オペレーティングシステム１１１上で稼働する他のアプリケーションである他端末アプリケーション１１３、記憶部１１４を有する。また、図中の、入出力部１１５は、表示装置や入力装置やスピーカなどの各種入出力機能部を表すものである。そして、再生依頼アプリケーション１１２は、アップロード制御部１１２０、収容受付部１１２１、転送処理部１１２２、暗号化部１１２３を有する。
【００２２】
さて、このような構成において、モバイル装置１００の記憶部１１４には、オーディオデータを格納したオーディオファイル１１４１と、プレイリスト１１４２が記録される。プレイリスト１１４２は、記憶部１１４に記録されたオーディオファイル１１４１を登録したリストであり、それぞれファイルとして記録される。ただし、全てのプレイリストを一つのファイルに含めて記録するようにしてもよい。さて、このプレイリスト１１４１は、ユーザが任意に作成することができる他、記憶部１１４に記録された全てのオーディオファイル１１４１を登録した特定のプレイリスト１１４２（以下、「ライブラリプレイリスト」と称する）が一つ設けられる。このプレイリスト１１４２には、プレイリストに登録された各オーディオファイル１１４１のモバイル装置１００上の識別子が記述される他、各オーディオファイル１１４１に格納された楽曲のタイトルやアルバムやジャンルやアーティストといった情報も記述される。ここで、このプレイリスト１１４２に登録する各オーディオファイル１１４１のモバイル装置１００上の識別子としては、オーディオファイル１１４１のファイル名及び記録場所（ファイルパス）の他、オーディオファイル登録時に与えた連番やファイルサイズや更新日時など、ファイルパスによらず一意にオーディオファイル１１４１を識別できる値も端末側ファイル識別子として登録するようにする。また、各プレイリスト１１４２にも、当該プレイリスト１１４２の登録／更新時に与えた連番やファイルサイズや更新日時など、ファイルパスによらず一意に、当該プレイリスト１１４２を識別できる値を端末側ファイル識別子として与えるようにする。そして、アップロード制御部１１２０において、各オーディオファイル１１４１と端末側ファイル識別子との対応と、プレイリスト１１４２とプレイリスト１１４２に与えた端末側ファイル識別子との対応を管理するようにする。
【００２３】
そして、前述した端末他アプリケーションには、このようなオーディオファイル１１４１を記憶部１１４にダウンロードしたり、ライブラリプレイリストを作成管理したり、ライブラリプレイリスト以外のプレイリスト１１４２をユーザ操作に応じて編集したり、再生を指示されたオーディオファイル１１４１を再生して出力したり、再生を指示されたプレイリスト１１４２に登録された各オーディオファイル１１４１を順次再生して出力するアプリケーションが含まれる。
【００２４】
次に、オーディオシステムのＨＤＤ５には、端末管理テーブル５１と、ファイルテーブル５２と、端末プレイリスト５３と、暗号化ファイル５４と、プレイリスト１１４２と、オーディオファイル１１４１が登録される。
オーディオファイル１１４１とプレイリスト１１４２は、モバイル装置１００の記憶部１１４に記録されるオーディオファイル１１４１とプレイリスト１１４２と同様のファイルであり、プレイリスト１１４２は、ＨＤＤ５に記録されたオーディオファイル１１４１を登録したリストであり、ユーザが任意に作成することができる他、ＨＤＤ５に記録された全てのオーディオファイル１１４１を登録したライブラリプレイリストが一つ設けられる。
【００２５】
次に、暗号化ファイル５４は、モバイル装置１００から転送された、モバイル装置１００の記憶部１１４に記録されていたオーディオファイル１１４１を暗号化したファイルであり、端末プレイリスト５３は、モバイル装置１００から転送された、モバイル装置１００の記憶部１１４に記録されていたプレイリスト１１４２のコピーである。
次に、図３に端末管理テーブル５１とファイルテーブル５２の内容を示す。
図３ａに示すように、端末管理テーブル５１には、オーディオ処理装置１に短距離無線を介して接続したことのあるモバイル装置毎のエントリが設けられる。そして、各エントリには、モバイル装置１００の識別子である端末ＩＤ、対応するモバイル装置１００について設けたファイルテーブル５２の記憶場所を示すファイルテーブルポインタ、対応するモバイル装置１００が現在オーディオ処理装置に接続中であるかどうかを示すオンラインフラグが登録される。なお、モバイル装置１００の端末ＩＤとしては、モバイル装置１００が短距離無線通信に用いる伝送メディアアクセス用のアドレス（ＭＡＣアドレスや、Bluetoothアドレス等）を用いることが、不正なモバイル装置１００への成りすましを排除する上で有効である。
【００２６】
また、ファイルテーブル５２は、端末管理テーブル５１に登録されたモバイル装置毎に設けられるテーブルであり、図３ｂに示すように、対応するモバイル装置１００から転送されＨＤＤ５に記録されているファイル毎のエントリを有する。そして、各エントリには、そのファイルがプレイリスト１１４２であるのか暗号化されたオーディオファイル１１４１であるのかを示すファイル種別と、そのファイルのファイル名と当該ファイルが記録されているＨＤＤ５上の位置を示すファイルパスと、そのファイルの端末側ファイル識別子を登録する。
【００２７】
さて、このような構成において、オーディオ処理装置１の、オペレーティングシステム２０１は、各アプリケーション２０２、２０４の、短距離無線通信を介したモバイル装置１００との通信の仲介や、ＨＤＤ５のファイルのアクセスの仲介や、表示装置２や入力装置３やオーディオ出力装置４やオーディオソース２１０との間の入出力の仲介を行う。
【００２８】
また、モバイル装置１００の端末オペレーティングシステム１１１も、モバイル装置１００の各アプリケーション１１２、１１４の、短距離無線通信を介したオーディオ処理装置１との通信の仲介や、記憶部１１４のファイルのアクセスの仲介や、入出力部との間の各種入出力の仲介を行う。
以下、このようなオーディオシステムにおける再生、出力動作について説明する。
まず、オーディオ処理装置１の端末収容処理部２０２１が行う端末収容処理について説明する。
図４に、この端末収容処理の手順を示す。
図示するように、端末収容処理では、オーディオ処理装置１に短距離無線通信によるモバイル装置１００の新たな接続の発生と（ステップ４０２）、オーディオ処理装置１からのモバイル装置１００の短距離無線通信による通信の切断の発生と（ステップ４０４）を監視する。
そして、モバイル装置１００の新たな接続が発生したならば（ステップ４０２）、接続したモバイル装置１００の端末ＩＤを取得し、このモバイル装置１００が端末管理テーブル５１に既に登録されているかどうかを調べ（ステップ４０６）、登録されていればステップ４０８に進み、登録されていなければ、端末管理テーブル５１に、新たなエントリを作成し取得した端末ＩＤを登録すると共に、新たなファイルテーブル５２を作成し、作成したファイルテーブル５２のファイルパスを端末管理テーブル５１の新たに作成したエントリに登録した上で（ステップ４２６）、ステップ４０８に進む。
【００２９】
次に、ステップ４０８では、端末管理テーブル５１の、接続したモバイル装置１００のオンラインフラグをオンに設定する。そして、短距離無線通信を介して、モバイル装置１００にファイルリスト要求を発行する（ステップ４１０）。
モバイル装置１００では、このファイルリスト要求を収容受付部１１２１で受け付けると、アップロード制御部１１２０は、記憶部１１４に記録されている全てのプレイリスト１１４２と全てのオーディオファイル１１４１の端末側ファイル識別子をファイルリストとして短距離無線通信を介して、オーディオ処理装置１に転送する。
【００３０】
オーディオ処理装置１においてファイルリストを受け取った端末収容処理部２０２１は、接続したモバイル装置１００のファイルテーブル５２に登録されている端末側ファイル識別子であって、ファイルリストに含まれていない端末側ファイル識別子が存在しないかどうかを調べ（ステップ４１２）、存在しない場合にはステップ４１６）に進み、存在する場合には、存在しなかった端末側ファイル識別子に対応するＨＤＤ５上のファイルのファイルパスをファイルテーブル５２から求めると共に、求めたファイルバスのファイルをＨＤＤ５から消去すると共に、削除したファイルのエントリをファイルテーブル５２から削除する（ステップ４１４）。そして、ステップ４１６に進む。
【００３１】
次にステップ４１６では、接続したモバイル装置１００のファイルテーブル５２に登録されていない端末側ファイル識別子であって、ファイルリストに含まれている端末側ファイル識別子が存在しないかどうかを調べ、存在しない場合にはステップ４０４に戻り、存在する場合には、存在した端末側ファイル識別子のファイルのファイル転送要求を短距離無線通信を介して、モバイル装置１００に発行する（ステップ４１８）。
【００３２】
モバイル装置１００において、ファイル転送要求を受け取ったアップロード制御部１１２０は管理している端末側ファイル識別子とオーディオファイル１１４１またはプレイリスト１１４２の対応に従って、要求された端末側ファイル識別子に対応するオーディオファイル１１４１またはプレイリスト１１４２を算定し、算定したファイルがプレイリスト１１４２である場合には、当該プレイリスト１１４２を転送処理部１１２２によって、短距離無線通信を介してオーディオ処理装置１に転送する。また、算定したファイルがオーディオファイル１１４１である場合には、まず、算定したファイルを暗号化部１１２３で所定の暗号キーを用いて暗号化し、暗号化したオーディオファイル１１４１を、転送処理部１１２２によって、短距離無線通信を介してオーディオ処理装置１に転送する。
【００３３】
このようにしてプレイリスト１１４２または暗号化されたオーディオファイル１１４１を受け取った端末収容処理部２０２１は、受け取ったファイルがプレイリスト１１４２であれば、当該プレイリスト１１４２を端末プレイリスト５３としてＨＤＤ５に記録すると共に、当該端末プレイリスト５３のファイル種別とファイルパスと端末側ファイル識別子を記述したエントリを、接続したモバイル装置１００のファイルテーブル５２に登録する。また、受け取ったファイルが暗号化されたオーディオファイル１１４１である場合には、当該暗号化されたオーディオファイル１１４１を暗号化ファイル５４としてＨＤＤ５に記録すると共に、当該暗号化ファイル５４のファイル種別とファイルパスと端末側ファイル識別子を記述したエントリを、接続したモバイル装置１００のファイルテーブル５２に登録する（ステップ４１８）。
そして、ステップ４０４に戻る。
【００３４】
さて、ステップ４０４において、オーディオ処理装置１からのモバイル装置１００の切断が発生した場合には、まず、切断したモバイル装置１００の暗号キーをオーディオ制御部２０２０が保持しているかどうかを調べ（ステップ４２０）、保持していなければステップ４２４に進み、保持していればこの暗号キーをオーディオ制御部２０２０に破棄させた上で（ステップ４２２）、ステップ４２４に進む。そして、ステップ４２４において、端末管理テーブル５１の、切断したモバイル装置１００のエントリのオンラインフラグをオフラインに設定し、ステップ４０２に戻る。
【００３５】
以上、端末収容処理について説明した。以上の端末収容処理によれば、モバイル装置１００が短距離無線通信によってオーディオ処理装置１に接続すると、端末管理テーブル５１の当該モバイル装置１００のオンラインフラグがオンラインに設定される。また、当該モバイル装置１００に記録されているプレイリスト１１４２とオーディオファイル１１４１のうちの、過去にオーディオ処理装置１に転送していないプレイリスト１１４２とオーディオファイル１１４１が、オーディオファイル１１４１については暗号化されてオーディオ処理装置１に転送され、ＨＤＤ５に、端末プレイリスト５３、暗号化ファイル５４として記録されることになる。また、このようにして、モバイル装置１００から転送されて記録された端末プレイリスト５３、暗号化ファイル５４に対応する、モバイル装置１００上のプレイリスト１１４２やオーディオファイル１１４１が、その後モバイル装置１００上で消去された場合には、消去されたファイルに対応する端末プレイリスト５３、暗号化ファイル５４が、次にモバイル装置１００がオーディオ処理装置１に接続された時点で、ＨＤＤ５から消去されることになる。すなわち、モバイル装置１００がオーディオ処理装置１に接続されると、ＨＤＤ５上の端末プレイリスト５３と暗号化ファイル５４の記録状態は、モバイル装置１００上のプレイリスト１１４２とオーディオファイル１１４１の記録状態に同期化され、モバイル装置１００とオーディオ処理装置１との接続中における１対１の対応が保証される。
【００３６】
さて、次に、オーディオ処理装置１のオーディオ制御部２０２０が行う再生処理について説明する。
ここで、この再生処理は、ユーザから入力装置３を介してオーディオ再生が指示されたときに実行する。
図５に、この再生処理の手順を示す。
図示するように、この処理では、まず、ＣＤドライブ７にＣＤ-ＤＡが装着されているかどうかを調べ（ステップ５０２）、装着されていればＣＤ-ＤＡのＴＯＣ情報を読み出してＣＤ-ＤＡの各トラックの楽曲についての情報を取得する（ステップ５２０）。なお、この各トラックの楽曲についての情報は、予めＨＤＤ５などに格納しておいたＣＤＤＢを参照して求めるようにしてよい。
【００３７】
次に、ＨＤＤ５に記録されているプレイリスト１１４２を取得する（ステップ５０４）。
そして、端末管理テーブル５１を参照して、オンラインフラグにオンラインが設定されているモバイル装置１００、すなわち、現在オーディオ処理装置に短距離無線通信で接続されているモバイル装置１００が存在するかどうかを調べ（ステップ５０６）、存在する場合には、接続されているモバイル装置１００のファイルテーブル５２に登録されている全ての端末プレイリスト５３を取得する（ステップ５２２）。
【００３８】
そして、再生制御ウインドウを表示装置２に表示し（ステップ５０８）、再生楽曲の選択を受け付ける（ステップ５１０）。
ここで、図６ａに再生制御ウインドウの一例を示す。
図示するように、この再生制御ウインドウには、再生ボタン６０１と、再生楽曲をスキップするための２つのスキップボタン６０２と、プレイリスト操作エリア６０３とを有する。なお、再生ボタン６０１は、楽曲の再生中出力は、図６ｂに示すように再生ポーズボタン６０６に置き換えられる。
【００３９】
さて、図５ａ、ｂに示すように、プレイリスト操作エリア６０３は、プレイリスト１１４２や端末プレイリスト５３の一覧を示すプレイリストエリア６０４と、プレイリストエリア６０４で選択されたプレイリスト１１４２や端末プレイリスト５３に登録されている画オーディオファイル１１４１の楽曲の情報を表示する楽曲エリア６０５とを有する。
ただし、ここでは、装着されているＣＤ-ＤＡ、デジタルオーディオ放送受信機６を一つのプレイリスト１１４２と見して、プレイリストエリア６０４に、その名称を表示する。そして、プレイリストエリア６０４で、ＣＤ-ＤＡが選択されている場合には、ステップで取得した各トラックの情報を楽曲エリア６０５に表示し、プレイリストエリア６０４で、デジタルオーディオ放送受信機６が選択された場合には、デジタルオーディオ放送受信機６で受信可能な放送局またはデジタルオーディオ放送受信機６にプリセットしておいた放送局の名称を楽曲エリア６０５に表示するようにする。
【００４０】
また、このプレイリストエリア６０４では、ＨＤＤ５に記録されているプレイリスト１１４２と、オーディオ処理装置１に接続している各モバイル装置１００の端末プレイリスト５３は、それぞれ分類して表示する。たとえば、図ではプレイリストエリア６０４のＨＤＤ５の表示の下に表示されている３つの名称がＨＤＤ５に記録されているプレイリスト１１４２の名称であり、プレイリストエリア６０４のmobaile#01の下に表示されている２つの名称がＨＤＤ５に記録されている端末プレイリスト５３の名称である。
【００４１】
さて、このような再生制御ウインドウ上での再生楽曲の選択は、プレイリストエリア６０４におけるプレイリスト１１４２または端末プレイリスト５３の選択と再生ボタン６０１の操作か、楽曲エリア６０５における楽曲の選択と再生ボタン６０１の操作によって受け付ける。ただし、デジタルオーディオ放送に関しては楽曲エリア６０５に表示されている放送局の選択を、再生楽曲の選択として受け付ける。
【００４２】
さて、図５に戻り、再生楽曲の選択を受け付けたならば（ステップ５１０）、楽曲の再生シーケンスを設定する（ステップ５１２）。すなわち、ユーザによって楽曲エリア６０５のデジタルラジオ放送の放送局が選択された場合には、選択された放送局を再生停止の操作あるまで受信再生する再生シーケンスを設定する。また、ユーザによってプレイリスト１１４２のＣＤ-ＤＡが選択された場合にはＣＤドライブ７に装着されているＣＤ-ＤＡの各トラックを順次再生する再生シーケンスを設定する。また、プレイリストエリア６０４でＨＤＤ５のプレイリスト１１４２が選択された場合には、当該プレイリスト１１４２に登録されたオーディオファイル１１４１を順次再生する再生シーケンスを設定する。また、プレイリストエリア６０４でモバイル装置１００の端末プレイリスト５３が選択された場合には、当該端末プレイリスト５３に登録された端末側ファイル識別子が当該モバイル装置１００のファイルテーブル５２に登録された暗号化ファイル５４を順次再生する再生シーケンスを設定する。
また、楽曲エリア６０５で、ＣＤ-ＤＡのトラックが選択された場合には、そのトラックを再生する再生シーケンスを設定する。また、楽曲エリア６０５で、ＨＤＤ５のプレイリスト１１４２の楽曲が選択された場合には、その楽曲に対応してプレイリスト１１４２に登録されているオーディオファイル１１４１を再生する再生シーケンスを設定する。そして、楽曲エリア６０５で、モバイル装置１００の端末プレイリスト５３の楽曲が選択された場合には、その楽曲に対応して端末プレイリスト５３に登録されている端末側ファイル識別子が、当該モバイル装置１００のファイルテーブル５２に登録されている暗号化ファイル５４を再生する再生シーケンスを設定する。
【００４３】
そして、再生シーケンスを設定したならば、再生シーケンスに暗号化ファイル５４の再生が含まれているかどうかを判定し（ステップ５１４）、含まれていない場合には、設定した再生シーケンスに従った再生を実行する（ステップ５２８）。
すなわち、再生シーケンスに従って再生すべき対象が、放送局であればデジタルオーディオ放送受信機６に、当該放送局の受信を開始させ、デジタルオーディオ放送受信機６が受信、復調したオーディオ信号をオーディオ出力装置４に出力する。また、再生シーケンスに従って再生すべき対象が、ＣＤ-ＤＡのトラックであればＣＤドライブ７に、当該トラックを読み出させ、オーディオデコーダ２０２４でデコードし、デコードしたオーディオ信号をオーディオ出力装置４に出力する。また、再生シーケンスに従って再生すべき対象が、ＨＤＤ５に記録されているオーディオファイル１１４１であれば、ＨＤＤ５よりオーディオファイル１１４１を読み出して、オーディオデコーダ２０２４でデコードし、デコードしたオーディオ信号をオーディオ出力装置４に出力する。そして、再生シーケンスに従った再生が終了したならば、ステップ５１０に戻り、次の再生楽曲の選択を待つ。
【００４４】
一方、再生シーケンスに暗号化ファイル５４の再生が含まれている場合（ステップ５１４）、すなわち、接続されているいずれかのモバイル装置１００の端末プレイリスト５３かモバイル装置１００から転送された暗号化ファイル５４が再生楽曲として選択された場合には、以下のように再生シーケンスを実行する。
【００４５】
すなわち、まず、再生すべき暗号化ファイル５４の転送元のモバイル装置１００の暗号キーを既に保持しているかどうかを調べ（ステップ５１６）、保持している場合にはステップ５１８に進み、保持していない場合には、当該モバイル装置１００に、暗号キー要求を短距離無線通信を介して発行する（ステップ５２４）。
【００４６】
この暗号キー要求を受け取ったモバイル装置１００のアップロード制御部１１２０は、暗号キーを短距離無線通信を介して、オーディオ処理装置１に送信する。
暗号キーを受け取ったオーディオ制御部２０２０は、暗号キーを保持し、ステップ５１８に進む（ステップ５２６）。
そして、ステップ５１８では、保持した暗号キーを用いて、再生シーケンスに従った楽曲の再生を行う。すなわち、再生シーケンスに従って再生すべき各暗号化ファイル５４について、保持した暗号キーを用いた復号部２０２３による復号と、復号したファイルのオーディオデコーダ２０２４によるデコードと、デコードしたオーディオ信号のオーディオ出力装置４への出力を行う。
【００４７】
そして、再生シーケンスに従った全ての暗号化ファイル５４の再生が終了したならば、ステップ５１０に戻り、次の再生楽曲の選択を待つ。
以上、再生処理について説明した。
このような再生処理の結果、オーディオ処理装置１では、ＨＤＤ５に記録している暗号化ファイル５４のうち、現在、オーディオ処理装置１に接続しているモバイル装置１００から過去に転送された暗号化ファイル５４のみを再生出力することが可能となる。
【００４８】
ここで、図７に、以上のようなオーディオ処理装置１における、モバイル装置１００に記録されたオーディオファイル１１４１の再生までの動作シーケンス例を示す。
まず、モバイル装置Ａがオーディオ処理装置１に短距離無線通信によって接続すると（７０１）、オーディオ処理装置１から、ファイルリスト要求がモバイル装置Ａに発行される（７０２）。そして、モバイル装置Ａから、ファイルリスト要求に応答して、モバイル装置１００に記録されている全プレイリストとオーディオファイル１１４１のリストがファイルリストとしてオーディオ処理装置１に送られる（７０３）。
【００４９】
ファイルリストを受け取ったオーディオ処理装置１は、ファイルリストから判定されるモバイル装置Ａに記録されているプレイリスト１１４２とオーディオファイル１１４１と、ＨＤＤ５に記録されている端末プレイリスト５３と暗号化ファイル５４との整合性を調べ、モバイル装置Ａに記録されていないオーディオファイル１１４１やプレイリスト１１４２に対応する暗号化ファイル５４や端末プレイリスト５３がＨＤＤ５に存在すれば、これを消去する。また、ＨＤＤ５に対応する暗号化ファイル５４が記録されていないオーディオファイル１１４１や、ＨＤＤ５に対応する端末プレイリスト５３が記録されていないプレイリスト１１４２がモバイル装置Ａに記録されていれば、そのファイルを要求するファイル転送要求をモバイル装置Ａに発行する（７０４）。
【００５０】
ファイル転送要求を受けたモバイル装置Ａは、転送を要求されたファイルがオーディオファイル１１４１であれば、これを暗号キーで暗号化し、暗号化ファイル５４としてオーディオ処理装置１に転送し（７０５）、転送を受けたオーディオ処理装置１は受け取った暗号化ファイル５４をＨＤＤ５に記録する。また、ファイル転送要求を受けたモバイル装置Ａは、転送を要求されたファイルがプレイリスト１１４２であれば、これを端末プレイリスト５３としてオーディオ処理装置１に転送し（７０５）、転送を受けたオーディオ処理装置１は受け取った端末プレイリスト５３をＨＤＤ５に記録する。
【００５１】
その後、オーディオ処理装置１において、暗号化ファイル５４を再生する際には、オーディオ処理装置１は、暗号化ファイル５４を復号するための、暗号キーをモバイル装置Ａに要求し（７０６）、モバイル装置Ａは、要求に応答して暗号キーをオーディオ処理装置１に転送する（７０７）。そして、オーディオ処理装置１は、受け取った暗号キーを用いて暗号化ファイル５４を復号し、再生出力する。
【００５２】
また、暗号キーをモバイル装置Ａから受け取った後に、モバイル装置Ａとの間の短距離無線通信が切断したならば（７０８）、オーディオ処理装置１はモバイル装置Ａから受け取った暗号キーを廃棄する。
以上、本発明の実施形態について説明した。
以上のように本実施形態によれば、モバイル装置１００に記録されているオーディオファイル１１４１の楽曲をオーディオ処理装置１から出力する場合に、モバイル装置１００においてオーディオファイル１１４１の再生を行わないのでモバイル装置１００の低電力消費化が図られると共に、モバイル装置１００に記録されているオーディオファイル１１４１は、暗号化されてオーディオ処理装置１に記録されると共に、その再生は当該モバイル装置１００が接続されている場合にのみ、オーディオ処理装置１において可能となるので、オーディオファイル１１４１の有効な著作権保護が図られる。
【００５３】
ところで、以上の実施形態では、モバイル装置１００に記録されているオーディオファイル１１４１の楽曲のオーディオ処理装置１における再生は、必ず、一旦モバイル装置１００に記録されているオーディオファイル１１４１を暗号化した暗号化ファイル５４をＨＤＤ５に記録した後に、記録した暗号化ファイル５４を復号して再生することにより行うようにしたが、これは以下のように行うようにしてもよい。
【００５４】
すなわち、図８に示すように、まず、モバイル装置Ａがオーディオ処理装置１に短距離無線通信によって接続すると（８０１）、オーディオ処理装置１は、モバイル装置Ａの暗号キーを取得する（８０２）。ここで、この暗号キーとしては、たとえば、モバイル装置Ａのメディアアクセス用のアドレス（ＭＡＣアドレスや、Bluetoothアドレス等）を用いるようにして良い。
【００５５】
次に、オーディオ処理装置１から、楽曲リスト要求がモバイル装置Ａに発行される（８０３）。そして、リスト要求に応答して、モバイル装置Ａから、モバイル装置Ａがオーディオファイル１１４１として記録している楽曲のリストが、楽曲リストとしてオーディオ処理装置１に送られる（８０４）。
【００５６】
楽曲リストを受け取ったモバイル装置１００は、楽曲から判定されるモバイル装置Ａに記録されている楽曲と、ＨＤＤ５に暗号化ファイル５４として記録しているモバイル装置Ａから過去に転送された楽曲の整合性を調べ、モバイル装置Ａに記録されていない楽曲に対応する暗号化ファイル５４がＨＤＤ５に存在すれば、これを消去する。
【００５７】
その後、オーディオ処理装置１において、モバイル装置Ａから受け取った楽曲リストを表示し、楽曲リスト中からの再生楽曲の選択をユーザから受け付けると共に、選択された楽曲に対応する、モバイル装置Ａから過去に転送された楽曲の暗号化ファイル５４がＨＤＤ５上に存在するかどうかを調べ、存在しない場合には、選択された楽曲のストリーミング再生要求を、モバイル装置Ａに発行する（８０５）。
【００５８】
ストリーミング再生要求を受け取ったモバイル装置Ａは、要求された楽曲のオーディオファイル１１４１のオーディオデータを、ストリーミング形式でオーディオ処理装置１に転送する（８０６）。
ストリーミング形式でオーディオデータを受け取ったオーディオ処理装置１は、オーディオデータをストリーミング形式で再生、出力すると共に、受信したオーディオデータを保持し、１楽曲分のオーディオデータの受信が終了したならば、当該楽曲のオーディオデータを先にモバイル装置Ａから取得した暗号キーを用いて暗号化し、モバイル装置Ａと先にストリーミング再生要求を発行した楽曲とに対応づけてＨＤＤ５に記録する（８１１）。
【００５９】
一方、楽曲リスト中からユーザによって選択された再生楽曲に対応する、モバイル装置Ａから過去に転送された楽曲の暗号化ファイル５４がＨＤＤ５上に存在する場合には、この暗号化ファイル５４を先にモバイル装置Ａから取得した暗号キーを用いて復号化し、再生出力する（８１２）。
【００６０】
そして、モバイル装置Ａとの間の短距離無線通信が切断したならば（８０７）、オーディオ処理装置１はモバイル装置Ａから取得した暗号キーを廃棄する。
以上のような動作によれば、モバイル装置１００に記録されているオーディオファイル１１４１の楽曲をオーディオ処理装置１から出力する場合に、モバイル装置１００におけるオーディオファイル１１４１の再生は、そのオーディオファイル１１４１を初回に再生する場合にのみを行われるのでモバイル装置１００の低電力消費化が図られる。また、モバイル装置１００に記録されているオーディオファイル１１４１は、暗号化されてオーディオ処理装置１に記録されると共に、その再生は当該モバイル装置１００が接続されている場合にのみ、オーディオ処理装置１において可能となるので、オーディオファイル１１４１の有効な著作権保護が図られる。
【００６１】
さて、以上では、短距離無線通信を介して、モバイル装置１００とオーディオ処理装置１を接続する場合について説明したが、本実施形態はモバイル装置１００とオーディオ処理装置１を無線ＬＡＮ、有線ＬＡＮその他の任意の伝送路によって接続する場合に同様に適用可能であり、特に、その接続形態が、伝送路の接続によって電力がモバイル装置１００に供給されないものである場合には、モバイル装置１００の内蔵バッテリの省電力消費化の効果も、同様に得られる。
【００６２】
また、以上では、オーディオファイル１１４１を対象とする場合について説明したが、本実施形態はオーディオファイル１１４１に代えて、ビデオファイルその他の任意のメディアのファイルを対象として適用するようにしてよい。
また、以上では、オーディオ処理装置１において、ＨＤＤ５にモバイル装置１００のオーディオファイル１１４１を暗号化した暗号化ファイル５４として記録するようにしたが、これは、モバイル装置１００からオーディオファイル１１４１をそのままオーディオ処理装置１に転送してＨＤＤ５に記録すると共に、オーディオファイル処理装置において、ＨＤＤ５に記録されている、現在接続されていないモバイル装置１００から転送されたオーディオファイル１１４１へのアクセスや利用を禁止するのみとするようにしてもよい。
【図面の簡単な説明】
【００６３】
【図１】本発明の実施形態に係るオーディオシステムのハードウエア構成を示すブロック図である。
【図２】本発明の実施形態に係るオーディオシステム及びモバイル装置の機能構成を示すブロック図である。
【図３】本発明の実施形態に係る端末管理テーブルとファイルテーブルの内容を示す図である。
【図４】本発明の実施形態に係る端末収容処理の手順を示すフローチャートである。
【図５】本発明の実施形態に係る再生処理の手順を示すフローチャートである。
【図６】本発明の実施形態に係る再生制御ウインドウを示す図である。
【図７】本発明の実施形態に係るオーディオシステムの動作例を示すシーケンス図である。
【図８】本発明の実施形態に係るオーディオシステムの他の動作例を示すシーケンス図である。
【符号の説明】
【００６４】
１…オーディオ処理装置、２…表示装置、３…入力装置、４…オーディオ出力装置、５…ＨＤＤ、６…デジタルオーディオ放送受信機、７…ＣＤドライブ、８…メモリカード、１１…ＣＰＵ、１３…表示インタフェース、１４…オーディオ出力インタフェース、１５…ＨＤＤインタフェース、１６…受信機インタフェース、１７…ＣＤドライブインタフェース、１８…メモリカードインタフェース、１９…入力インタフェース、２０…短距離無線通信装置、５１…端末管理テーブル、５２…ファイルテーブル、５３…端末プレイリスト、５４…暗号化ファイル、１００…モバイル装置、１０１…移動電話機、１０２…携帯プレイヤ、１１１…端末オペレーティングシステム、１１２…再生依頼アプリケーション、１１３…他端末アプリケーション、１１４…記憶部、２０１…オペレーティングシステム、２０２…オーディオ再生アプリケーション、２０３…他アプリケーション、２１０…オーディオソース、１１２０…アップロード制御部、１１２１…収容受付部、１１２２…転送処理部、１１２３…暗号化部、１１４１…オーディオファイル、１１４２…プレイリスト、２０２０…オーディオ制御部、２０２１…端末収容処理部、２０２２…再生処理部、２０２３…復号部、２０２４…オーディオデコーダ。
【図１】
2005129110.tif 000003
【図２】
2005129110.tif 000004
【図３】
2005129110.tif 000005
【図４】
2005129110.tif 000006
【図５】
2005129110.tif 000007
【図６】
2005129110.tif 000008
【図７】
2005129110.tif 000009
【図８】
2005129110.tif 000010